(57)【特許請求の範囲】
【請求項１】
各遊技台に対応して設けられ、清浄した空気を吹出す吹出口と、この吹出口から吹出す空気の風量を変更する風量変更手段とを有した台毎空気清浄装置と、
イベントの対象となる遊技台であるイベント対象台、或いは遊技者にとって有利な条件に調整された遊技台である優良台を告知するために、その告知対象となる遊技台、或いは当該遊技台に対応する台毎空気清浄装置の候補を表示する表示手段と、
前記表示手段に表示された候補の中から告知対象となる遊技台、或いは前記台毎空気清浄装置を指定する指定操作を受付ける指定受付手段と、
この指定受付手段が受付けた指定操作により指定された前記遊技台に対応する前記台毎空気清浄装置、或いは指定された前記台毎空気清浄装置に対して風量の変更を示す風量変更情報を出力する出力手段とを有した管理装置とを備え、
前記台毎空気清浄装置は、前記管理装置が有する前記出力手段から出力された前記風量の変更情報を入力する風量変更情報入力手段を有し、
前記風量変更手段は、前記風量変更情報入力手段が入力した風量の変更情報に基づいて前記吹出口から吹出す空気の風量を変更することで、前記台毎空気清浄装置の吹出口から吹き出される空気の風量により、前記イベント対象台、或いは前記優良台であることを告知することを特徴とする遊技場用空気清浄システム。
【請求項２】
前記台毎空気清浄装置は、対応する遊技台の遊技情報を入力する遊技情報入力手段と、前記遊技情報入力手段が入力した遊技情報に基づいて対応する遊技台の稼動情報を判定する稼動状態判定手段とを有し、
前記風量変更手段は、対応する前記遊技台が稼動状態であると前記稼動状態判定手段が判定しているときに前記風量変更情報入力手段が風量の変更情報を入力した場合は、前記風量を待機せずに変更する一方、対応する遊技台が稼動状態でないと前記稼動状態判定手段が判定しているときに前記風量変更情報入力手段が風量の変更情報を入力した場合は、対応する遊技台が稼動状態となり、更に所定期間が経過するまで待機してから前記風量を変更することを特徴とする請求項１記載の遊技場用空気清浄システム。
【請求項３】
前記台毎空気清浄装置は、遊技者による風量変更操作を受付ける操作受付手段を有し、  前記風量変更手段は、前記風量変更情報入力手段が風量の変更情報を入力した場合に、前記操作受付手段が遊技者の操作を受付けるまで待機してから前記風量を変更することを特徴とする請求項１記載の遊技場用空気清浄システム。
【請求項４】
前記風量変更手段は、前記風量変更情報入力手段が風量の変更情報を入力するまでは、前記操作受付手段が受付けた風量変更操作に応じて風量を変更する一方、前記風量変更情報入力手段が風量の変更情報を入力してから、前記操作受付手段が遊技者の操作を受付けるまで待機している期間中は、その期間以前に前記操作受付手段が受付けた風量変更操作に応じて変更した風量に優先して前記風量変更情報に基づいた風量と異なる所定の補助風量に変更することを特徴とする請求項３記載の遊技場用空気清浄システム。
【請求項５】
前記台毎空気清浄装置は、前記吹出口から送風される空気を受けるように所定の旗を固定する固定手段を備えたことを特徴とする請求項１ないし４の何れかに記載の遊技場用空気清浄システム。
【発明の詳細な説明】
【技術分野】
【０００１】
本発明は、各遊技台に対応して設けられ、清浄した空気を吹出す吹出口を有した台毎空気清浄装置を備えた遊技場用空気清浄システムに関する。
【背景技術】
【０００２】
遊技場では、遊技者が隣り合って遊技を行うため、遊技者が喫煙すると、隣の遊技者に対して煙草からの伏流煙が流れていき、隣の遊技者が不快な思いをすることがある。このような問題を解消するために、特許文献１のものでは、遊技台間に台毎空気清浄装置を設けることを提案している。
【特許文献１】特開平１０−１５２２０号公報
【特許文献２】特開２０００−３１７１１９号公報
【発明の開示】
【発明が解決しようとする課題】
【０００３】
特許文献１に記載された台毎空気清浄装置では、隣り合う遊技者の間にエアカーテンが形成されることで、煙草の伏流煙などを遮断でき、快適な遊技環境を提供することができる。
【０００４】
しかしながら、このような台毎空気清浄装置では、エアカーテンの形成や、空気清浄といった有益な機能は有するものの、その機能は空気清浄装置としての基本機能であることから、付加価値の向上が望まれている。
【０００５】
一方において、遊技場においては、特許文献２のように、表示装置或いは店内放送などにより遊技者に対して遊技場に関する情報を告知するようにしているものの、遊技場に関する情報であっても、意外性のある告知方法により遊技者の興趣を高めたいという要望がある。
【０００６】
本発明は上記事情に鑑みてなされたもので、その目的は、意外性のある告知方法により遊技場に関する情報を遊技者に対して告知することができる遊技場用空気清浄システムを提供することにある。
【課題を解決するための手段】
【０００７】
請求項１の発明によれば、遊技場の従業員が管理装置の指定受付手段に対して風量を変更する台毎空気清浄装置を指定すると、管理装置の出力手段は、指定受付手段が受付けた台毎空気清浄装置に対して風量の変更を示す風量変更情報を出力する。すると、台毎空気清浄装置は、管理装置から入力した風量変更情報が示す風量に変更するので、その台毎空気清浄装置に対応する遊技台が「遊技場において特別な遊技台」である旨を意外性のある告知方法により告知することが可能となる。
【０００８】
特に、イベント対象となる遊技台に対応する空気清浄装置を指定した場合には、風量が変更されていることで、遊技台がイベント対象である旨を遊技者に告知可能となる。さらに、イベント対象となる遊技台は、他の遊技台と異なり、遊技者にとって有利な条件で遊技場側が出玉率などの調整を行っているため、遊技者が密集して空気が汚れ易いものの、例えばイベント対象となる遊技台に対応した台毎空気清浄装置の風量を強くすれば、予め空気を清浄しておくことが可能となり、遊技環境を良好とすることができる。
【０００９】
また、遊技台の稼動、非稼動に関わらず台毎空気清浄装置からの風量を一斉に変更した場合には、「遊技場において特別な遊技台」のグループとして一斉に告知することができるので、遊技者に加えて付近の人にもイベントの開始を確実に告知することが可能となる。
【００１０】
請求項２の発明によれば、台毎空気清浄装置は、遊技台が稼動状態となったときは、風量の変更情報に基づいて風量を変更するので、遊技台毎に遊技場に関する情報を告知することができる。これにより、遊技場に関する情報として遊技台毎に告知する場合、例えば優良台か否かを確実に告知することができる。この場合、優良台か否かの告知を遊技開始から遅らせるようにしたので、告知を受ける為に移動先の遊技台にて告知されるまで遊技を行う必要が生じ、一人の遊技者が告知のみを確認し、遊技開始直後に台移動して、複数の遊技台の告知を確認して渡り歩くような行為を防止できる。
【００１１】
請求項３の発明によれば、遊技者が台毎空気清浄装置の操作受付手段を操作して初めて風量変更情報が示す風量に変更されるので、遊技者主導による情報告知が可能となる。
請求項４の発明によれば、遊技者により風量が調整されていた場合であっても、予め補助風量に調節しておき、その後に風量変更情報が示す風量と異なる風量に変更することにより、例えば優良台の告知を引き立たせることが可能となる。
請求項５の発明によれば、台毎空気清浄装置に固定された旗が風量の変更に伴ってはためくことで、情報告知をより一層興趣の富んだものとすることが可能となる。
【発明を実施するための最良の形態】
【００１２】
（第１実施例）
以下、本発明の第１実施例について図１ないし図１１を参照して説明する。
図１は、システム全体の構成を概略的に示す図である。この図１において、遊技島にはパチンコ機或いはパチスロ機などの遊技台１が設置されている。これらの遊技台１間には台間玉貸機２及び台毎空気清浄装置（風量変更手段、風量変更情報入力手段、稼動状態判定手段に相当）３が設置されていると共に、遊技台１の上方には呼出ランプユニットの機能を有した台毎情報表示装置４が設置され、さらに各遊技台１に対応して中継装置（出力手段に相当）５が遊技島内に設置されている。
尚、遊技島の右端に位置する遊技台１の右隣には台毎空気清浄装置３のみが設置されている。
【００１３】
中継装置５は、対応する遊技台１から出力される各種信号、及び台間玉貸機の売上信号を管理装置（指定受付手段に相当）６に出力すると共に、管理装置６からの各種情報を台毎情報表示装置４に出力するＩ/Ｏ(Input/Output)の機能を有すると共に、それらのＩ/Ｏ機能に加えて、後述するように管理装置６からの指示に応じて台毎空気清浄装置３の動作を制御する機能を有する。本実施例では、管理装置６は、中継装置５を含んで構成されている。
【００１４】
管理装置６は、各台間玉貸機２の売上を管理すると共に、各遊技台１の稼動状態を管理するようになっており、それらの管理情報に基づいて遊技場の経営を管理すると共に、パチンコ機の釘調整、或いはパチスロ機の設定値の調整を行うようになっている。本実施例では、管理装置６は、イベント機種の告知設定を行うことが可能となっている。このイベント機種の告知設定とは、遊技場がイベントを開催する際に、そのイベントの対象となるイベント対象台を遊技台グループとして設定するものである。このイベントとは、遊技場から遊技者に対して供与するサービスであり、遊技者にとって有利な条件となる出玉率、設定値の甘め調整など、遊技場毎に独自に設定される。
【００１５】
図２は台毎空気清浄装置３の斜視図、図３は台毎空気清浄装置３の構造を示す模式図である。これらの図２及び図３において、台毎空気清浄装置３の装置本体７の前面下部には空気吸込口８が設けられていると共に、前面上部には空気吹出口９が設けられ、さらに中間部には風量調節釦（操作受付手段に相当）１０が設けられている。装置本体７内には空気吸込口８と空気吹出口９とを連通する空気流路１１が設けられている。この空気流路１１の上部にはファン１２が設けられており、そのファン１２の駆動状態で、空気吸込口８から吸込まれた空気が空気流路１１を通じて空気吹出口９から前方に吹出される。空気流路１１の中間部には、光触媒ユニット１３が取出可能に装着されている。装置本体７内において空気吸込口８の背面側には電源基板１４が配置されている。
【００１６】
空気流路１１において空気吸込口８の背面となる部位にはフィルタ装着部１５が形成されており、そのフィルタ装着部１５にフィルタ１６が配置されている。このフィルタ１６は、通過する空気に含まれる微粒子、特には煙草の煙に含まれる微粒子を吸着するようになっている。
【００１７】
次に、上記構成の作用について説明する。
図５は、中継装置５の処理を示すメインルーチンである。この図５において、中継装置５は、管理装置信号入力処理（Ａ１）、アウト信号入力処理（Ａ２）、大当り信号入力処理（Ａ３）、操作信号受信処理（Ａ４）、タイマ処理（Ａ５）を繰返して実行するようになっている。
【００１８】
一方、図１１は、台毎空気清浄装置３の処理を示すフローチャートである。この図１１において、台毎空気清浄装置３は、管理装置６からのイベント中信号（風量変更情報に相当）の入力中でないときは（Ｇ１：ＮＯ）、遊技台１から大当り中信号の入力中か（Ｇ３）、中継装置５から稼動中信号の入力中か（Ｇ４）を判断している。大当り中信号も稼動中信号も入力していない場合は（Ｇ３：ＮＯ、Ｇ４：ＮＯ）、遊技台１は非稼動であると判断し、風量を「切」に設定すると共に（Ｇ１３）、操作フラグをリセットする（Ｇ１４）。従って、遊技者が遊技台１で遊技していない状態では、台毎空気清浄装置３は停止している。
【００１９】
＜遊技開始の場合＞
遊技者が遊技台１で遊技を開始すると、遊技台１からアウト信号が出力される。このアウト信号は、発射（打込）玉数（遊技に費やされた遊技媒体数）を示す信号であり、遊技台１から出力される場合もあれば、アウトボックスから出力される場合もある。
【００２０】
中継装置５は、アウト信号入力処理を示す図７において、対応する遊技台１からアウト信号を入力したときは（Ｃ１：ＹＥＳ）、台毎空気清浄装置３に稼動中信号を出力中かを判断する（Ｃ２）。この場合、稼動中信号を出力していないので（Ｃ２：ＮＯ）、対応する遊技台１の両隣に位置する台毎空気清浄装置３に稼動中信号の出力を開始すると共に（Ｃ４）、稼動タイマ（例えば５分間）をスタートする（Ｃ５）。対応する遊技台１から次のアウト信号が入力したときは（Ｃ１：ＹＥＳ）、台毎空気清浄装置３に稼動中信号の出力中であることから（Ｃ２：ＹＥＳ）、稼動タイマをリスタートする（Ｃ３）。従って、中継装置５は、対応する遊技台１からアウト信号が連続して入力している状態、つまり遊技者による遊技状態では、対応する遊技台１の両隣に位置する台毎空気清浄装置３に対して稼動信号の出力状態を継続している。
【００２１】
＜台毎空気清浄装置３が風量切替操作されていない場合＞
台毎空気清浄装置３は、図１１に示すように、中継装置５から稼動中信号の入力中となった場合は（Ｇ４：ＹＥＳ）、遊技者による風量切替操作が有るか（Ｇ５）、中継装置５から操作信号の入力が有るか（Ｇ１０）を判断し、何れも「ＮＯ」であり、さらに操作フラグがリセットされている場合は（Ｇ１１：ＹＥＳ）、風量を「通常」に設定する（Ｇ１２）。従って、遊技者が遊技台１で遊技中の場合において、台毎空気清浄装置３に対して風量切替操作を行っていないときは、台毎空気清浄装置３からは通常風量による送風が行われるので、遊技台１間には通常風量によるエアカーテンが形成されると共に、遊技場の空気が清浄化される。
【００２２】
＜台毎空気清浄装置３が風量切替操作された場合＞
遊技者が台毎空気清浄装置３からの風量を切替えたい場合は、台毎空気清浄装置３の風量調節釦１０を操作する。
台毎空気清浄装置３は、中継装置５からの稼動中信号の入力中に（Ｇ４：ＹＥＳ）、風量切替操作が有ったときは（Ｇ５：ＹＥＳ）、切替操作された風量を示す操作信号を中継装置５に送信してから（Ｇ６）、風量操作に基づいて風量を記憶する（Ｇ７）。この場合、風量調節釦１０が操作される毎に、風量を「通常」→「強」→「切」→「通常」の順に繰返して設定する。
【００２３】
中継装置５は、操作信号受信処理を示す図９において、遊技台１の左隣に位置する台毎空気清浄装置３から操作信号を受信したときは（Ｅ１：ＹＥＳ）、遊技台１の右隣に位置する台毎空気清浄装置３へ操作信号を送信する（Ｅ２）。
遊技台１の右隣に位置する台毎空気清浄装置３は、図１１に示すように、中継装置５から操作信号の入力が有ったときは（Ｇ１０：ＹＥＳ）、操作信号に基づいて風量を記憶する（Ｇ７）。
【００２４】
遊技台１の両隣に位置する台毎空気清浄装置３は、以上のような何れかの方法により風量を記憶したときは、操作フラグをセットしてから（Ｇ８）、風量として記憶している風量を設定する（Ｇ９）。
以上の動作により、遊技者が遊技台１の左隣に位置する台毎空気清浄装置３の風量調節釦を操作すると、その台毎空気清浄装置３に加えて遊技台１の右隣に位置する台毎空気清浄装置３から風量調節釦１０によって変更された風量が送風されるので、遊技台１間に切替られた風量によるエアカーテンが形成されるようになると共に、遊技場の空気が清浄化される。
【００２５】
＜遊技台１で大当りが発生した場合＞
遊技台１で大当りが発生すると、遊技台１から大当り中信号が出力されるようになる。
中継装置５は、大当り信号入力処理を示す図８において、台毎空気清浄装置３に大当り中信号の出力中でない場合に（Ｄ１：ＮＯ）、対応する遊技台１から大当り信号が入力開始となったときは（Ｄ２：ＹＥＳ）、遊技台１の両隣に位置する台毎空気清浄装置３に対して大当り中信号を出力開始する（Ｄ３）。
【００２６】
台毎空気清浄装置３は、図１１に示すように、中継装置５から大当り中信号が入力中となった場合は（Ｇ３：ＹＥＳ）、風量を「強」に設定する（Ｇ２）。従って、遊技台１の両隣に位置する台毎空気清浄装置３からの送風が強風となるので、大当りが発生した遊技者の気持ちが一層高揚するようになる。また、遊技者が大当りの発生で喫煙するにしても、台毎空気清浄装置３は強風量で送風しているので、煙草からの伏流煙が隣の遊技者に流れていくことを確実に防止できると共に、遊技場の空気を清浄できる。
【００２７】
＜遊技台１での大当りが終了した場合＞
遊技台１での大当りが終了すると、遊技台１からの大当り中信号の出力が終了する。
中継装置５は、図８に示す大当り信号入力処理において、台毎空気清浄装置３に大当り中信号の出力中の場合に（Ｄ１：ＹＥＳ）、対応する遊技台１から大当り信号が入力終了となったときは（Ｄ４：ＹＥＳ）、遊技台１の両隣に位置する台毎空気清浄装置３への大当り中信号の出力を終了する（Ｄ５）。
【００２８】
台毎空気清浄装置３は、図１１に示すように、中継装置５からの大当り中信号が入力中でなくなった場合に（Ｇ３：ＮＯ）、稼動中信号の入力中のときは（Ｇ４：ＹＥＳ）、上述したように風量切替操作或いは中継装置５からの操作信号に応じた風量で送風する（Ｇ９）。
以上の動作により、台毎空気清浄装置３からの送風中に遊技台１で大当りが発生したときは、強風量で送風されるようになると共に、大当りが終了したところで元の風量に復帰する。
【００２９】
＜イベント開始の場合＞
遊技場側が台毎空気清浄装置３を利用して遊技者に特定のイベント開始を告知する場合は、管理装置６によりイベント対象となる遊技台グループを選択する。
図４は、管理装置６のイベント機種告知設定画面を示している。この図４において、イベント機種設定画面には、番号に対応して、機種名、台番号、優良台が登録されており、機種の番号を入力してから「送信」釦１７をタッチ操作することによりイベント対象の機種を設定することができる。この場合、図中に示す優良台は、管理者が別途予め入力したものである。
【００３０】
管理装置６は、「送信」釦１７が操作されたときは、選択されたイベント対象の機種に所属する遊技台１に対応する中継装置５に対してイベント開始信号を出力する。
中継装置５は、管理装置信号入力処理を示す図６において、管理装置６からイベント開始信号を入力したときは（Ｂ１：ＹＥＳ）、遊技台１の両隣に位置する台毎空気清浄装置３へイベント中信号の出力を開始する（Ｂ２）。
【００３１】
台毎空気清浄装置３は、図１１に示すように、中継装置５からイベント中信号の入力中となった場合は（Ｇ１：ＹＥＳ）、風量を「強」に設定する（Ｇ２）。従って、イベント告知対象として選択された遊技台１の両隣に位置する台毎空気清浄装置３から強風量で送風されるので、遊技者は、イベント開始が告知されたことを認識することができる。この場合、遊技者による遊技の有無にかかわらず台毎空気清浄装置３から強風量で送風されるので、イベント対象の遊技台グループに対応する台毎空気清浄装置３の全てが一斉に強風量で送風するようになり、他の遊技台グループから引き立たせることができる。
【００３２】
＜イベント終了の場合＞
従業員は、イベントを終了するときは、管理装置６に対してイベント終了操作を行う。
管理装置６は、従業員によりイベント終了操作されたときは、中継装置５にイベント終了信号を出力する。
中継装置５は、図６に示す管理装置信号入力において、管理装置６よりイベント終了信号を入力したときは（Ｂ３：ＹＥＳ）、台毎空気清浄装置３に出力していたイベント中信号の出力を終了する（Ｂ４）。
【００３３】
台毎空気清浄装置３は、図１１に示すように、中継装置５からのイベント中信号が非入力となった際に（Ｇ１：ＮＯ）、大当り中信号の入力中の場合は（Ｇ３：ＹＥＳ）、強風量の送風を継続する（Ｇ２）。大当り中信号が非入力の場合に（Ｇ３：ＮＯ）、操作フラグがセット（Ｇ１１：ＮＯ）、つまり風量操作が有ったときは、記憶している風量を設定する（Ｇ９）。操作フラグがリセット（Ｇ１１：ＹＥＳ）、つまり風量操作が無かった場合は、風量を「通常」に設定する（Ｇ１２）。従って、イベントが終了したときは、台毎空気清浄装置３からの風量は元の風量に復帰するので、遊技者は、イベントの終了を認識することができる。
【００３４】
＜遊技終了の場合＞
遊技者が遊技を終了すると、遊技台１からのアウト信号の出力が停止する。
中継装置５は、タイマ処理を示す図１０において、台毎空気清浄装置３に稼動中信号の出力中に（Ｆ１：ＹＥＳ）、稼動タイマが最後にアウト信号を入力してから５分後にタイムアップしたときは（Ｆ２：ＹＥＳ）、遊技台１の両隣に位置する台毎空気清浄装置３に出力していた稼動中信号の出力を終了する（Ｆ３）。
【００３５】
台毎空気清浄装置３は、図１１に示すように、イベント中信号及び大当り中信号の非入力状態で（Ｇ１：ＮＯ、Ｇ３：ＮＯ）、稼動中信号が非入力となったときは（Ｇ４：ＮＯ）、風量を「切」に設定すると共に（Ｇ１３）、操作フラグをリセットする（Ｇ１４）。
以上の動作により、遊技者が遊技を終了した場合は、台毎空気清浄装置３からの送風が自動的に停止する。
【００３６】
要するに、台毎空気清浄装置３は、イベント中信号及び大当り中信号の入力を最も優先するように設定されており、それらの何れかの信号の入力中は、稼動中信号の入力状態或いは風量調節釦１０に対する操作にかかわらず強風量で送風し、イベント中信号及び大当り中信号の非入力状態で稼動中信号の入力状態では、風量調節釦１０に対する操作に応じた風量で送風すると共に、稼動中信号の非入力状態で送風を停止するようになっている。
【００３７】
このような実施例によれば、管理装置６により所望の遊技台グループをイベント対象に設定した場合は、そのグループに所属する遊技台１の両隣に位置する台毎空気清浄装置３から強風量で一斉に送風するようにしたので、それらの遊技台１で遊技している遊技者は勿論のこと、遊技台１のグループの付近に位置している人は、遊技台グループがイベント対象であることを従来と異なる意外性のある方法で認識するようになり、興趣を高めることができる。
この場合、イベント対象台には人が密集するものの、台毎空気清浄装置３から強風量で送風しておくことにより、イベント対象台の周辺の空気を予め清浄化することができると共に、遊技台１の稼動中にあっても空気清浄効果を高い状態に保つことができる。
【００３８】
また、イベント対象台ではない遊技台１に対応する台毎空気清浄装置３において風量切替操作が行われない台毎空気清浄装置３は、通常風量で送風するようにしたので、省力運転を行うことができると共に、イベント対象台に対応する台毎空気清浄装置３とは風量が異なるので、イベント対象台を一層引き立たせることができる。
【００３９】
また、遊技台１が大当りとなったときは、台毎空気清浄装置３から強風量で送風するようにしたので、大当りの興趣を高めることができると共に、大当りしたときの安堵感により遊技者が喫煙するにしても、風量の調節を行うことなく強風量のエアカーテンにより煙草の伏流煙を自動的に遮断できるようになる。
【００４０】
さらに、遊技者が遊技台１の左隣に位置する台毎空気清浄装置３の風量調節釦１０を操作した場合は、遊技台１の右隣に位置する台毎空気清浄装置３の風量も同時に切替わるので、遊技者は、両隣の遊技者に気兼ねすることなく喫煙することができる。
【００４１】
（第２実施例）
次に、本発明の第２実施例について図１２ないし図１５に基づいて説明する。この第２実施例は、台毎空気清浄装置３からの送風により遊技者に対して遊技台１が優良台かを告知することを特徴とする。つまり、第１実施例では、台毎空気清浄装置３からの強風量の送風によりイベント対象となる遊技台グループを告知するようにしたが、本実施例では、遊技台１毎に優良台を告知可能としている。
【００４２】
中継装置５は、第１実施例を説明するための図５に示すように、管理装置信号入力処理（Ａ１）、アウト信号入力処理（Ａ２）、大当り信号入力処理（Ａ３）、操作信号受信処理（Ａ４）、タイマ処理（Ａ５）を繰返して実行する。尚、大当り信号入力処理（Ａ３）、操作信号受信処理（Ａ４）に関しては第１実施例と同一であり、また、台毎空気清浄装置３の動作も第１実施例と同一である。
【００４３】
＜遊技開始の場合＞
遊技者が遊技台１で遊技すると、遊技台１からアウト信号が出力される。
中継装置５は、アウト信号入力処理を示す図１４において、対応する遊技台１からアウト信号を入力したときは（Ｉ１：ＹＥＳ）、イベントフラグがセットされているかを判断する（Ｉ２）。イベントフラグがセットされていない場合は（Ｉ２：ＮＯ）、第１実施例と同一に動作する。即ち、台毎空気清浄装置３に稼動中信号を出力していない場合は（Ｉ７：ＮＯ）、遊技台１の両隣に位置する台毎空気清浄装置３に稼動中信号を出力開始してから（Ｉ９）、稼動タイマをスタートする（Ｉ１０）。また、台毎空気清浄装置３に稼動中信号の出力中の場合は（Ｉ７：ＹＥＳ）、稼動タイマをリスタートする（Ｉ８）。従って、遊技台１が稼動中の場合は、中継装置５から遊技台１の両隣に位置する台毎空気清浄装置３に対して稼動中信号の出力状態が継続する。
【００４４】
＜遊技台１の稼動中に優良台を告知する場合＞
従業員は、台毎空気清浄装置３の送風により遊技者に優良台を告知する場合は、管理装置６により優良台を選択してからイベント開始操作を実行する。
図１２は、管理装置６の優良台設定画面を示している。この図１２において、優良台の台番号を入力してから「送信」釦１７をタッチ操作することにより告知対象の優良台を設定することができる。この場合、管理者が入力した優良台を参照しながら台番号を直接入力する。
【００４５】
管理装置６は、「送信」釦１７がタッチ操作されたときは、選択された優良台に対応する中継装置５に対してイベント開始信号を出力する。
中継装置５は、図１３に示す管理装置信号入力処理において、管理装置６よりイベント開始信号が入力した場合に（Ｈ１：ＹＥＳ）、台毎空気清浄装置３に稼動中信号を出力中（Ｈ２：ＹＥＳ）、つまり遊技台１が稼動中のときは、遊技台１の両隣に位置する台毎空気清浄装置３にイベント中信号を出力開始する（Ｈ３）。尚、中継装置５は、イベント中信号を遊技場の閉店まで継続して出力するようになっている。
【００４６】
台毎空気清浄装置３は、図１１に示すように、中継装置５からイベント中信号を入力したときは（Ｇ１：ＹＥＳ）、風量を「強」に設定する（Ｇ２）。従って、台毎空気清浄装置３から強風量で送風されるので、遊技者は、遊技している遊技台１が優良台であることを認識し、遊技に熱中するようになる。
【００４７】
＜遊技台１の非稼動中に優良台を告知する場合＞
中継装置５は、図１３に示す管理装置信号入力処理において、管理装置６よりイベント開始信号が入力した場合に（Ｈ１：ＹＥＳ）、台毎空気清浄装置３に稼動中信号を出力中でないとき（Ｈ２：ＮＯ）、つまり遊技台１が非稼動中のときは、イベントフラグをセットする（Ｈ４）。このイベントフラグとは、対応する遊技台１が優良台であることの告知を待機していることを示すフラグである。
【００４８】
中継装置５は、図１４に示すアウト信号入力処理において、対応する遊技台１からアウト信号を入力した場合に（Ｉ１：ＹＥＳ）、イベントフラグがセットされていたときは（Ｉ２：ＹＥＳ）、優良台を告知するのを所定期間待機するためにイベントアウトをインクリメントする（Ｉ３）。このイベントアウトとは、イベントフラグがセットされた状態で遊技台１から出力されるアウト数である。
【００４９】
次に、イベントアウトが１０００玉を上回ったかを判断する（Ｉ４）。この１０００玉は、遊技者が遊技を開始してから優良台を告知するまで待機するためのアウト数であり、アウトが１００玉／分とすると、約１０分間に相当する。イベントアウトが１０００玉を上回ると（Ｉ４：ＹＥＳ）、遊技台１の両隣に位置する台毎空気清浄装置３にイベント中信号の出力を開始してから（Ｉ５）、イベントフラグをリセットする（Ｉ６）。尚、以後の動作は第１実施例と同一である。
以上の動作により、優良台が告知された遊技台１で遊技者が遊技を開始してから、約１０分が経過すると、遊技台１の両隣に位置する台毎空気清浄装置３から強風量で送風されるので、遊技者は、遊技している遊技台１が優良台であることを認識することができる。
【００５０】
＜遊技終了の場合＞
遊技者が遊技を終了すると、遊技台１からアウト信号が出力されなくなる。
中継装置５は、図１５に示すタイマ処理において、台毎空気清浄装置３に稼動中信号の出力中に（Ｊ１：ＹＥＳ）、稼動タイマがタイムアップしたときは（Ｊ２：ＹＥＳ）、遊技台１の両隣に位置する台毎空気清浄装置３への稼動中信号の出力を終了してから（Ｊ３）、イベントフラグがセットされている場合は（Ｊ４：ＹＥＳ）、優良台の告知を待機していると判断し、イベントアウトを初期化する（Ｊ５）。
【００５１】
台毎空気清浄装置３は、図１１に示すように、中継装置５からの稼動中信号が非入力となった場合は（Ｇ４：ＮＯ）、風量を「切」に設定してから（Ｇ１３）、操作フラグをリセットする（Ｇ１４）。
以上の動作により、優良台の告知が行われていない遊技台１で遊技者が遊技を終了すると、台毎空気清浄装置３からの送風が自動的に停止する。
【００５２】
このような実施例によれば、管理装置６から中継装置５に優良台を告知した際に、遊技台１が稼動中の場合は、遊技台１の両隣に位置する台毎空気清浄装置３から強風量で送風し、遊技台１が非稼動中の場合は、遊技台１が稼動したことを条件として台毎空気清浄装置３から強風量で送風するようにしたので、遊技台１毎に優良台か否かを台毎空気清浄装置３からの強風量の送風という意外な方法で告知することができる。
【００５３】
しかも、遊技台１が稼動したことを条件として優良台を告知する場合は、稼動開始からのアウト玉数が１０００玉を上回ったことを付加条件として告知するようにしたので、遊技者に対して直ぐに優良台が告知されず、遊技者が遊技開始直後に台移動してしまうことを防止でき、もって遊技者に優良台を平等に告知することができる。
【００５４】
（第３実施例）
次に、本発明の第３実施例について図１６ないし図２４を参照して説明する。この第３実施例は、遊技者が台毎空気清浄装置３の風量調節釦１０を操作した際に、優良台の告知を行うことを特徴とする。
台毎空気清浄装置３を示す図１６において、空気吹出口９の下方に固定部（固定手段に相当）１８が設けられている。この固定部１８には、図１７に示すような旗１９が固定されるもので、この旗１９には、例えば「優良台確定!!」という文字が記載されている。
【００５５】
中継装置５は、図１９に示すメインルーチンにおいて、管理信号入力処理（Ｋ１）、アウト信号入力処理（Ｋ２）、タイマ処理（Ｋ３）、操作信号受信処理（Ｋ４）を繰返して実行している。
中継装置５は、アウト信号入力処理を示す図２１において、対応する遊技台１からアウト信号を入力した場合に（Ｍ１：ＹＥＳ）、台毎空気清浄装置３に稼動中信号の出力中でないときは（Ｍ２：ＮＯ）、遊技台１の左隣（遊技者による操作対象側）に位置する台毎空気清浄装置３に稼動中信号の出力を開始してから（Ｍ９）、稼動タイマをスタートする（Ｍ１０）。台毎空気清浄装置３に稼動中信号の出力中のときは（Ｍ２：ＹＥＳ）、稼動タイマをリスタートする（Ｍ３）。従って、遊技者が遊技台１で遊技している状態では、遊技台１の左隣に位置する台毎空気清浄装置３に対して中継装置５から稼動中信号の出力状態が継続される。
【００５６】
＜台毎空気清浄装置３に対する操作が無い場合＞
図２４は、台毎空気清浄装置３の動作を示すフローチャートである。この図２４において、台毎空気清浄装置３は、中継装置５からの稼動中信号の入力中は（Ｐ１：ＹＥＳ）、イベント中信号の入力中か（Ｐ２）、待機中信号の入力中か（Ｐ４）、風量切替操作が有ったか（Ｐ８）を判断し、何れも「ＮＯ」の場合は、操作フラグがリセットされていることを確認してから（Ｐ１２：ＹＥＳ）、風量を「通常」にセットする（Ｐ１３）。従って、台毎空気清浄装置３に対して風量切替操作が行われていない場合は、台毎空気清浄装置３からは通常風量で送風されるので、通常風量によるエアカーテンが形成されると共に、遊技場の空気が清浄化される。
【００５７】
＜台毎空気清浄装置３に対する風量切替操作が有った場合＞
台毎空気清浄装置３は、遊技者により風量切替操作が有ったときは（Ｐ８：ＹＥＳ）、風量を記憶すると共に（Ｐ９）、操作フラグをセットしてから（Ｐ１０）、記憶している風量を設定する（Ｐ１１）。従って、台毎空気清浄装置３に対して風量切替操作が行われたときは、台毎空気清浄装置３からは切替操作に応じた風量が送風されるので、切替えられた風量によるエアカーテンが形成される。
【００５８】
＜優良台を告知する場合＞
従業員は、イベントとして優良台を告知する場合は、管理装置６に対してイベント対象の機種を設定すると共に、その機種における優良台を設定する。続いて、店内放送にてイベント開始を告知する旨を呼びかけると共に、優良台の告知対象となる全ての遊技台１に対応する台毎空気清浄装置３の固定部１８に図１７に示す旗１９を固定する。
【００５９】
次に、従業員は、管理装置６に対して優良台を選択する。
管理装置６は、優良台が選択されたときは、優良台に設定された遊技台１に対応する中継装置５にイベント開始信号を出力すると共に、優良台の告知対象として設定されていない遊技台１に対応する中継装置５に補助信号を出力する。この場合、イベント開始信号が優良台であることを示し、補助信号が優良台でないことを示している。
【００６０】
中継装置５は、図２０に示す管理装置信号入力処理において、管理装置６よりイベント開始信号を入力したときは（Ｌ1：ＹＥＳ）、イベントフラグをセットしてから（Ｌ２）、台毎空気清浄装置３へ稼動中信号を出力中かを判断し（Ｌ３）、稼動中信号の出力中の場合は（Ｌ３：ＹＥＳ）、台毎空気清浄装置３へ待機中信号の出力を開始すると共に（Ｌ４）、台毎空気清浄装置３へ表示開始信号を出力する（Ｌ５）。この待機中信号とは、後述するように台毎空気清浄装置３の風量調節釦１０が操作されるのを待機していることを示す信号である。
【００６１】
尚、管理装置６の機能として、補助信号を出力する遊技台１を選択可能としてもよい。
台毎情報表示装置４は、表示開始信号を受信した場合は、例えば「優良台を告知しますので、空気清浄装置の風量調節釦を操作してください。」というメッセージを表示する。従って、優良台の告知対象の遊技台１で遊技している遊技者は、台毎空気清浄装置３の風量調節釦１０を操作するようになる。
【００６２】
台毎空気清浄装置３は、図２４に示すように、中継装置５からの稼動中信号の入力中でイベント中信号が入力していない場合に（Ｐ１：ＹＥＳ、Ｐ２：ＮＯ）、待機中信号の入力中となったときは（Ｐ４：ＹＥＳ）、風量を「通常」に設定する（Ｐ５）。これにより、イベント告知対象の遊技台１に対応する台毎空気清浄装置３からの風量が通常風量（補助風量に相当）となるので、図１７に示すように旗１９が弱くはためくようになる。このとき、旗１９に記載されている「優良台確定!!」という文字は確認困難となっている。
【００６３】
遊技者は、自分が遊技中の遊技台１が優良台か否かを確認する場合は、台毎空気清浄装置３の風量調節釦１０を操作する。
台毎空気清浄装置３は、中継装置５からの待機信号の入力中に（Ｐ４：ＹＥＳ）、遊技者が風量調節釦１０を操作したときは（Ｐ６：ＹＥＳ）、優良台の告知タイミングとなったと判断して、中継装置５に操作信号を送信する（Ｐ７）。
【００６４】
中継装置５は、図２３に示す操作信号受信処理において、台毎空気清浄装置３から操作信号を受信したときは（Ｏ１：ＹＥＳ）、台毎情報表示装置４へ表示終了信号を出力してから（Ｏ２）、イベントフラグがセットされているかを判断する（Ｏ３）。この場合、イベントフラグがセットされているので（Ｏ３：ＹＥＳ）、台毎空気清浄装置３へイベント中信号の出力を開始すると共に（Ｏ４）、台毎空気清浄装置３への待機中信号の出力を終了してから（Ｏ５）、イベントフラグをリセットすると共に（Ｏ６）、確定フラグをセットする（Ｏ７）。この確定フラグとは、優良台として告知することを示すフラグである。
台毎空気清浄装置３は、図２４に示すように、中継装置５からイベント中信号の入力中となった場合は（Ｐ２：ＹＥＳ）、風量を「強」に設定する（Ｐ３）。
【００６５】
以上の動作により、遊技者が台毎空気清浄装置３の風量調節釦１０を操作した際に、遊技している遊技台１が優良台に設定されている場合は、台毎空気清浄装置３の空気吹出口９から強風量で送風されるので、空気吹出口９に位置する旗１９が図１７に示すように強くはためくようになる。従って、遊技者は、「優良台確定」という文字を容易に視認できるようになるので、遊技している遊技台１が優良台に設定されていることを認識して遊技に熱中するようになる。
【００６６】
＜優良台でないことを告知する場合＞
中継装置５は、図２０に示す管理装置信号入力処理において、管理装置６から優良台でないことを示す補助信号を入力したときは（Ｌ６：ＹＥＳ）、補助フラグをセットし（Ｌ７）、台毎空気清浄装置３へ稼動中信号の出力中であることを確認してから（Ｌ３：ＹＥＳ）、台毎空気清浄装置３へ待機中信号の出力を開始すると共に（Ｌ４）、台毎情報表示装置４へ表示開始信号を出力する（Ｌ５）。
【００６７】
中継装置５は、図２１に示すアウト信号入力処理において、遊技台１からアウト信号が入力した際に（Ｍ１：ＹＥＳ）、台毎空気清浄装置３に稼動中信号の出力中であった場合は（Ｍ２：ＹＥＳ）、上述のように補助フラグがセットされていることから（Ｍ４：ＹＥＳ）、イベントアウトをインクリメントする（Ｍ５）。そして、イベントアウトが１０００玉を上回ったところで（Ｍ６：ＹＥＳ）、台毎空気清浄装置３への待機中信号の出力を終了すると共に（Ｍ７）、補助フラグをリセットする（Ｍ８）。
【００６８】
台毎空気清浄装置３は、図２４に示すように、中継装置５からの待機中信号が非入力となった場合に（Ｐ４：ＮＯ）、操作フラグがセットされていたときは（Ｐ１２：ＮＯ）、風量を待機中信号の入力前の状態に復帰する（Ｐ１１）。
【００６９】
以上の動作により、遊技者が台毎空気清浄装置３の風量調節釦１０を操作した際に、遊技している遊技台１が優良台に設定されていない場合は、約１０分経過したところで、台毎空気清浄装置３の空気吹出口９に位置する旗１９が図１７に示すように弱くはためくようになる。従って、遊技者は、「優良台確定」という文字を読むことが困難であることから、遊技している遊技台１が優良台に設定されていないことを認識するようになる。
【００７０】
＜遊技を終了する場合＞
遊技者が遊技を終了すると、遊技台１から出力されていたアウト玉信号の出力が停止する。
中継装置５は、図２２に示すタイマ処理において、台毎空気清浄装置３に稼動中信号の出力中に（Ｎ１：ＹＥＳ）、稼動タイマがタイムアップしたときは（Ｎ２：ＹＥＳ）、台毎空気清浄装置３への稼動中信号の出力を終了し（Ｎ３）、イベントフラグがセットされているか（Ｎ４）、補助フラグがセットされているか（Ｎ５）、確定フラグがセットされているか（Ｎ９）を判断する。イベントフラグがセットされているか補助フラグがセットされている場合は（Ｎ４：ＹＥＳ  ｏｒ  Ｎ５：ＹＥＳ）、台毎空気清浄装置３に待機中信号の出力中であると判断し、台毎空気清浄装置３への待機中信号の出力を終了すると共に（Ｎ７）、台毎情報表示装置４へ表示終了信号を出力する（Ｎ８）。尚、補助フラグがセットされている場合は（Ｎ５：ＹＥＳ）、イベントアウトを初期化する（Ｎ６）。台毎空気清浄装置３へイベント中信号を出力することにより確定フラグがセットされている場合は（Ｎ９：ＹＥＳ）、台毎空気清浄装置３へのイベント中信号の出力を終了する（Ｎ１０）。
【００７１】
台毎空気清浄装置３は、図２４に示すように、中継装置５からの稼動中信号が非入力となったときは（Ｐ１：ＮＯ）、風量を「切」に設定してから（Ｐ１４）、操作フラグをリセットする（Ｐ１５）。従って、遊技者が遊技を終了したときは、台毎空気清浄装置３からの送風が自動的に停止する。
【００７２】
＜遊技台１で遊技を開始する場合＞
遊技台１で遊技者が遊技を中断してから再開した場合、或いは新規の遊技者が遊技を行った場合は、中継装置５から台毎空気清浄装置３に稼動中信号が出力されていない状態で対応する遊技台１からアウト信号が出力されるので、中継装置５は、図２１に示すアウト信号入力処理において、このような条件が成立した場合は（Ｍ１：ＹＥＳ、Ｍ２：ＮＯ）、台毎空気清浄装置３に稼動中信号の出力を開始すると共に（Ｍ９）、稼動タイマをスタートしてから（Ｍ１０）、確定フラグがセットされているかを判断する（Ｍ１１）。確定フラグがセットされている場合は（Ｍ１１：ＹＥＳ）、優良台の告知対象として設定されている遊技台であると判断し、台毎空気清浄装置３へのイベント中信号の出力を開始する（Ｍ１２）。これにより、台毎空気清浄装置３から強風量で送風されるので、旗１９が強くはためくようになる。従って、遊技者は、旗１９に記載された「優良台確定!!」を容易に視認することができるので、遊技開始した遊技台１が優良台であることを認識することができる。
【００７３】
確定フラグがセットされていない場合は（Ｍ１１：ＮＯ）、イベントフラグか補助フラグの何れかがセットされているかを確認する（Ｍ１３、Ｍ１６）。これらの何れかのフラグがセットされているときは（Ｍ１３：ＹＥＳ  ｏｒ  Ｍ１６：ＹＥＳ）、優良台告知の待機中であると判断し、台毎空気清浄装置３へ待機中信号の出力を開始すると共に（Ｍ１４）、台毎情報表示装置４へ表示開始信号を出力する（Ｍ１５）。これにより、台毎空気清浄装置３から通常風量で送風されると共に、台毎情報表示装置４には優良台の告知のために台毎空気清浄装置３の風量調節釦１０を操作することが表示されるので、遊技者は、台毎空気清浄装置３の風量調節釦１０を操作するようになる。
【００７４】
台毎空気清浄装置３は、図２４に示すように、中継装置５から待機中信号の入力中に（Ｐ４：ＹＥＳ）、遊技者により風量調節釦１０が操作されたときは（Ｐ６：ＹＥＳ）、中継装置５に操作信号を送信する（Ｐ７）。これにより、中継装置５からのイベント中信号を入力中となることから（Ｐ２：ＹＥＳ）、強風量で送風するようになる（Ｐ３）。従って、台毎空気清浄装置３に固定された旗１９が図１７に示すように強くはためくようになるので、遊技者は、優良台であることを認識することができる。
【００７５】
このような実施例によれば、遊技台１が優良台に設定されている場合は、遊技者が台毎空気清浄装置３の風量調節釦１０を操作したことを条件として台毎空気清浄装置３から強風量で送風するようにしたので、遊技者主導で優良台を告知することができる。従って、遊技者にイベントに参加させるように意識させることができるので、遊技の興趣を一層高めることができる。
しかも、告知の待機中においては通常風量で送風するようにしたので、予め風量調節釦１０に対する操作により風量が「強」に設定されている場合であっても、優良台の告知により強風量となったことを認識しやすくなる。
また、台毎空気清浄装置３の固定部１８に固定された旗１９が強風量の送風により強くはためくので、遊技者の興趣を一層高めることができる。
（変形例）
本発明は、上記各実施例に限定されることなく、次のように変形または拡張できる。
中継装置５から台毎空気清浄装置３に出力する状態信号を開始時と終了時のみに信号出力する構成としてもよいし、開始信号、終了信号の代わりに状態信号を継続して出力する構成としてもよい。
【００７６】
中継装置５により台毎空気清浄装置３を制御するように構成するのに代えて、台毎空気清浄装置３自身、或いは管理装置６により制御するようにしてもよい。
イベント時に台毎空気清浄装置３からの風量として特別な風量を設定可能としてもよい。例えばイベント時は「強」に設定し、イベント以外の場合は「中」、「弱」、「切」のうち切替調節された風量を設定する。
【００７７】
上記各実施例で説明した機能を他の実施例に適用するようにしてもよい。例えば第１実施例においてイベント告知の台毎空気清浄装置３を遊技台１の左隣の台毎空気清浄装置３のみとしてもよいし、第３実施例において遊技台１で大当りが発生した場合は、風量を「強」に設定するようにしてもよい。
【００７８】
第２実施例において、優良台に対応した台毎空気清浄装置３が稼動したタイミングで風量を「強」に設定してもよい。
第２，第３実施例において、優良台に対応した台毎空気清浄装置３の風量を「強」に終日行うように構成したが、所定時間後に風量を「通常」に復帰するようにしてもよい。この場合、優良台のレベルに応じて風量を「強」に継続する時間を調節するようにしてもよい。例えば期待感の低い優良台の告知は風量の「強」を１分間継続し、期待感が高い優良台の告知は風量の「強」を３分間継続する。
【００７９】
第２，第３実施例において、優良台の全てに告知する場合に、図４に示すイベント機種告知設定画面にて機種番号を入力したときは、別途予め設定されている優良台に対してイベント開始信号を出力するようにしてもよい。
管理装置６によるイベント対象台或いは優良台の指定操作を予め受付けておき、所定時刻となったときに中継装置５にイベント開始信号或いは補助信号（第３実施例の場合）を出力するようにしてもよい。
【００８０】
管理装置６においては、選択された遊技台１に対応する中継装置５に対してイベント開始信号などを出力する構成としたが、台毎空気清浄装置３を直接選択し、台毎空気清浄装置３の風量を直接制御するようにしてもよい。
優良台の告知として、台毎空気清浄装置３の風量を「強」としたが、「弱」或いは「切」としたり、風量を「強」、「切」の交互に切替えるようにしたりしてもよい。
第３実施例において、台毎空気清浄装置３の風量調節釦１０が操作されるまで風量を「通常」とすることなく、現在の風量を維持するようにしてもよい。
【００８１】
第３実施例において、台毎空気清浄装置３の固定部１８の構成は、旗１９が保持できればどのような手段を用いるようにしてもよい。
台毎情報表示装置４の表示部による告知を、台毎空気清浄装置３の風量による告知に重複して行うようにしてもよい。
台毎空気清浄装置３は、空気を吹出す機能を有していれば、エアカーテンを形成しなくともよい。例えば上方に向けて吹出すようにしてもよい。
第３実施例において、優良台かの報知をするための操作受付手段を特別に設けるようにしてもよい。
【図面の簡単な説明】
【００８２】
【図１】本発明の第１実施例のシステム全体の構成を示す概略図
【図２】台毎空気清浄装置の斜視図
【図３】台毎空気清浄装置の縦断側面図
【図４】管理装置のイベント機種告知設定画面を示す図
【図５】中継装置のメインルーチン処理を示すフローチャート
【図６】中継装置の管理装置信号入力処理を示すフローチャート
【図７】中継装置のアウト信号入力処理を示すフローチャート
【図８】中継装置の大当り信号入力処理を示すフローチャート
【図９】中継装置の操作信号受信処理を示すフローチャート
【図１０】中継装置のタイマ処理を示すフローチャート
【図１１】台毎空気清浄装置の処理を示すフローチャート
【図１２】本発明の第２実施例を示す管理装置の優良台告知設定画面を示す図
【図１３】図６相当図
【図１４】図７相当図
【図１５】図１０相当図
【図１６】本発明の第３実施例を示す図２相当図
【図１７】強風量状態で示す旗の斜視図
【図１８】通常風量状態で示す図１７相当図
【図１９】中継装置の処理を示すフローチャート
【図２０】図６相当図
【図２１】図７相当図
【図２２】図１０相当図
【図２３】図９相当図
【図２４】図１１相当図
【符号の説明】
【００８３】
図面中、１は遊技台、３は台毎空気清浄装置（風量変更手段、風量変更情報入力手段、稼動状態判定手段）、５は中継装置（出力手段、管理装置）、６は管理装置（指定受付手段）、９は空気吹出口、１０は風量調節釦（操作受付手段）、１８は固定部（固定手段）、１９は旗である
【図１】
0004842710.tif 000002
【図２】
0004842710.tif 000003
【図３】
0004842710.tif 000004
【図４】
0004842710.tif 000005
【図５】
0004842710.tif 000006
【図６】
0004842710.tif 000007
【図７】
0004842710.tif 000008
【図８】
0004842710.tif 000009
【図９】
0004842710.tif 000010
【図１０】
0004842710.tif 000011
【図１１】
0004842710.tif 000012
【図１２】
0004842710.tif 000013
【図１３】
0004842710.tif 000014
【図１４】
0004842710.tif 000015
【図１５】
0004842710.tif 000016
【図１６】
0004842710.tif 000017
【図１７】
0004842710.tif 000018
【図１８】
0004842710.tif 000019
【図１９】
0004842710.tif 000020
【図２０】
0004842710.tif 000021
【図２１】
0004842710.tif 000022
【図２２】
0004842710.tif 000023
【図２３】
0004842710.tif 000024
【図２４】
0004842710.tif 000025